(57)【要約】【課題】体液吸収性物品における透液性表面シートを通過して芯材に吸収された体液が表面シートの透孔を通して直視されるときの不快感を解消する。【解決手段】体液吸収性物品１の透液性表面シート２が熱可塑性プラスチックのフィルムで形成され、肌当接域２１と透液性透孔２２とを有する。透孔２２は上方開口部２６と、管状部２７と下方開口部２９とを有し、管状部２７の下端部分２８が周方向において不規則に複数に細分化されて、下方開口部２９の径方向内方ヘ向かって屈曲している。【選択図】      図２
2004187810.tif 000002
【特許請求の範囲】
【請求項１】
熱可塑性プラスチックのフィルムで形成され、肌に対する当接域と、前記当接域によって周縁が画成されている多数の透液性透孔とを有し、前記透孔には前記周縁から前記当接域における前記肌と向かい合う上面からその上面の裏側である下面へ向かう方向ヘ延びる管状部が形成され、前記管状部の下端部分を体液吸収性芯材に接触させて使用する体液吸収性物品の透液性表面シートにおいて、
前記管状部の下端部分は、前記管状部の周方向において不規則にかつ複数に細分化されており、細分化された前記下端部分がそれよりも上方の部分に対して屈曲して前記管状部の径方向内方ヘ向かって延びていることを特徴とする前記透液性表面シート。
【請求項２】
前記透孔は上方開口部と前記上方開口部よりも径の小さい下方開口部とを有し、前記下方開口部の径が０．３〜２ｍｍの範囲にある請求項１記載の透液性表面シート。
【請求項３】
前記透孔と透孔とに挟まれた前記当接域の幅は、０．１〜１ｍｍの範囲にある請求項１または２記載の透液性表面シート。
【請求項４】
前記管状部における前記当接域の上面から前記下端部分までの深さが０．１〜２ｍｍの範囲にある請求項１〜３のいずれかに記載の透液性表面シート。
【請求項５】
前記当接域における前記プラスチックフィルムの厚さが０．０１〜０．０５ｍｍの範囲にある請求項１〜４のいずれかに記載の透液性表面シート。
【請求項６】
前記プラスチックフィルムは、その１００重量％のうちにリニアローデンシティポリエチレン２５〜４０重量％と、ローデンシティポリエチレン０〜１０重量％と、エチレンとα−オレフィンとの共重合体２５〜４０重量％と、硫酸バリウム２０〜５０重量％との他に、適宜重量％の着色剤、親水化剤および滑剤を含み、坪量１０〜５０ｇ／ｍ２のものである請求項１〜５のいずれかに記載の透液性表面シート。
【発明の詳細な説明】
【０００１】
【発明の属する技術分野】
この発明は、生理用ナプキンや使い捨ておむつ等の体液吸収性物品に使用する透液性表面シートに関する。
【０００２】
【従来の技術】
従来、生理用ナプキンや使い捨ておむつ等の体液吸収性物品において、この物品に含まれる吸収性芯材の表面を少なくとも部分的に被覆するための透液性表面シートは種々知られている。例えば、特開平４−３５６６２号公報（特許文献１）に開示の吸収性物品の表面シートは、熱可塑性合成繊維を融着させた不織布からなるもので、不織布の一部からは導液管が形成され、この導液管には通気性が付与されている。この表面シートの導液管では、その周壁を通して物品内部との通気がはかられている。特開平４−５８９５０号公報（特許文献２）に開示の吸収性物品の表面シートは、熱可塑性繊維を融着させた不織布からなるもので、不織布の一部からは導液管が形成され、この導液管の下面開口端に繊維羽毛が形勢されている。この表面シートの導液管では、下面開口端に位置する繊維羽毛がコアに接触して優れた毛細管作用を発揮し、コアに体液を効果的に移行されることができる。特開昭６４−６４６５５号公報（特許文献３）に開示された液体透過性の熱可塑性樹脂フィルムは、フィルムの片面にのみ自由縁で終わる突起状に形成された開口を有する。この開口の最も狭い断面は、このフィルムの平滑側の平面とは反対側の平面上にあり、かつ開口の断面は、最も狭い断面の位置からこの突起の自由縁ヘ向かって軸方向に大きさを増大する。この文献によれば、水よりもはるかに高い粘性を有する液体に対しても良好な透過性を有する多孔性フィルムが得られる。この多孔性フィルムでは、開口が最も狭い断面を有する部位において毛細管作用が増大する。
【０００３】
【特許文献１】
特開平４−３５６６２号公報
【特許文献２】
特開平４−５８９５０号公報
【特許文献３】
特開昭６４−６４６５５号公報
【０００４】
【発明が解決しようとする課題】
特許文献１の表面シートに形成された導液管は、導液管の上端部から下端部までが垂直方向に対して一様な傾きで延びている。その傾きによって、管径が下端部へ向かって狭くなるように変化するか、太くなるようにするか、または変化することなく一様である。特許文献２の導液管では、繊維羽毛を形成している部分が、導液管の延びる方向に一致している。特許文献３のフィルムでは、突起形状に作られた開口における自由縁とその近傍が開口の外方へ向かって、換言すると開口の径が大きくなる方向ヘ向かって延びている。これら特許文献１〜３に開示の表面シートやプラスチックフィルムでは、それらを例えば生理用ナプキンの表面シートとして使用した場合に、その表面シートを通過して芯材に吸収された経血が生理用ナプキンを廃棄するときに導液管の開口を通して直接的に眼に入る。そうしたナプキンは、経血が眼に入り難いものに比べると、ナプキンを廃棄するときにその使用者に不快感を与えることがある。
【０００５】
この発明は、これらナプキン等の着用物品がそれを廃棄するときに使用者に対して不快感を与えかねないという問題の解消を課題にしている。
【０００６】
【課題を解決するための手段】
前記課題解決のために、この発明が対象とするのは、熱可塑性プラスチックのフィルムで形成され、肌に対する当接域と、前記当接域によって周縁が画成されている多数の透液性透孔とを有し、前記透孔には前記周縁から前記当接域における前記肌と向かい合う上面からその上面の裏側である下面へ向かう方向ヘ延びる管状部が形成され、前記管状部の下端部分を体液吸収性芯材に接触させて使用する体液吸収性物品の透液性表面シートである。
【０００７】
かかる透液性表面シートにおいて、この発明が特徴とするところは、前記管状部の下端部分が、前記管状部の周方向において不規則にかつ複数に細分化されており、細分化された前記下端部分がそれよりも上方の部分に対して屈曲して前記管状部の径方向内方ヘ向かって延びていること、にある。
【０００８】
この発明には、次のような好ましい実施態様がある。
（１）前記透孔は上方開口部と前記上方開口部よりも径の小さい下方開口部とを有し、前記下方開口部の径が０．３〜２ｍｍの範囲にある。
（２）前記透孔と透孔とに挟まれた前記当接域の幅は、０．１〜１ｍｍの範囲にある。
（３）前記管状部における前記当接域の上面から前記下端部分までの深さが０．１〜２ｍｍの範囲にある。
（４）前記当接域における前記プラスチックフィルムの厚さが０．０２〜０．０５ｍｍの範囲にある。
（５）前記プラスチックフィルムは、その１００重量％のうちにリニアローデンシティポリエチレン２５〜４０重量％と、ローデンシティポリエチレン０〜１０重量％と、エチレンとα−オレフィンとの共重合体２５〜４０重量％と、硫酸バリウム２０〜５０重量％との他に、適宜重量％の着色剤、親水化剤および滑剤を含み、坪量１０〜５０ｇ／ｍ２のものである。
【０００９】
【発明の実施の形態】
体液吸収性物品として生理用ナプキンを例にとり、添付の図面を参照してこの発明に係る透液性表面シートの詳細を説明すると以下のとおりである。
【００１０】
図１に部分破断斜視図で示された生理用ナプキン１は、縦方向Ａと横方向Ｂとを有し、縦方向Ａに長く作られた矩形のもので、透液性表面シート２と、不透液性裏面シート３と、吸液性芯材４とからなる。表面シート２と裏面シート３とは、芯材４の周縁から側方へ延びて重なり合い、溶着または接着により接合して縦方向Ａヘ延びる一対の側縁部６と横方向Ｂヘ延びる一対の端縁部７とを形成している。
【００１１】
表面シート２は、熱可塑性プラスチックのフィルムで形成されており、側縁部６と端縁部７とに囲まれて芯材４の上面８を被覆している内側部位９には、多数の透液性透孔２２を有している。
【００１２】
裏面シート３は、熱可塑性プラスチックからなる不透液性のフィルムで形成されている。そのフィルムには、例えばポリエチレン製のものが使用される。裏面シート３は、その下面１２の所要部位に粘着剤（図示せず）が塗布されて、ナプキン使用者のショーツに着脱可能である。
【００１３】
芯材４は、粉砕パルプや粉砕パルプと高吸収性ポリマー粒子との混合物、粉砕パルプと高吸収性ポリマー繊維との混合物等を所要の密度にまで圧縮したもので、通常はその全体がティッシュペーパ１４で被覆されている。芯材４は、ホットメルト接着剤等の接着剤によって、裏面シート３および／または表面シート２に接合することができる。
【００１４】
図２は、表面シート２の部分拡大斜視図である。表面シート２は、平坦に形成されていてナプキン使用者の肌に密着させるべき肌当接域２１と、肌当接域２１によって周縁が画成されている多数の透孔２２とを有する。肌当接域２１は、ナプキン使用者の肌と向かい合う上面２３と、上面２３の裏側である下面２４とを有し、これら両面２３，２４間の厚さｔが好ましく０．０１〜０．０５ｍｍの範囲にある。隣り合う透孔２２と２２との間における肌当接域２１の幅ｗは、好ましくは０．１〜１ｍｍの範囲にある。透孔２２は、周縁が肌当接域２１によって画成されている上方開口部２６と、開口部２６から肌当接域２１の上面２３から下面２４へ向かう方向ヘ延びる管状部２７と、管状部２７の下端部分２８によって画成されている下方開口部２９とを有する。上方開口部２６の形状は不定形であって、図示例の如くそれぞれが概ね円形である場合の他に、長円形や多角形、その他任意の形状を自由に組み合せることができる。管状部２７は、上方開口部２６から下方開口部２９ヘ向かって内径が次第に小さくなる。管状部２７の下端部分２８は、周方向において不規則にかつ複数に細分化されている。その下端部分２８は、管状部２７におけるそれよりも上方の部分に対して屈曲して管状部２７の径方向内方ヘ向かって延びている。
【００１５】
図３，４は、図２のＩＩＩ−ＩＩＩ線断面図と、その断面図のＩＶ−ＩＶ線矢視図であるが、図３には芯材４の一部分が併せて示されている。これらの図から明らかなように、管状部２７の内径は、肌接触域２１の上面２３から下面２４へ向かう方向において徐々に小さくなるが、下端部分２８は、それよりも上方の部分に対して屈曲して、管状部２７の径方向内方へ向かって花弁状を呈するように延びている。この管状部２７を含む透孔２２では、プラスチックフィルムが肌接触域２１から管状部２７へ向かって滑らかな弧を描きながら延びている。管状部２７では、そのプラスチックフィルムの厚さが上方開口部２６から下方開口部２９ヘ向かって漸減している。下方開口部２９の周縁部分を形成している下端部分２８は、下方開口部２９の概ね径方向ヘ延びるように形成されている多数の裂け目３１によって、周方向において複数に分割、細分化されている。その下端部分２８におけるプラスチックフィルムの上面２３は上方開口部２６と向かい合うように上方に向き、下面２４が芯材４のティシューペーパ１４に上方から当接している。透孔２２は、下端部分２８が径方向内方へ延びることによって下方開口部２９の開口面積が小さくなる傾向を有するが、裂け目３１の存在によってその傾向を抑えることができる。管状部２７はティシューペーパ１４によって示される水平面Ｌに対して好ましくは３０〜８０°，より好ましくは４０〜７５°のほぼ一様な傾きを有する。図４において管状部２７の下端部分２８に内接する仮想線ｍで示された下方開口部２９の最大径ｄは０．３〜２ｍｍの範囲にある。好ましい管状部２７は、肌当接域２１の上面２３から下方開口部２９までの深さｎが０．１〜２ｍｍの範囲にある。
【００１６】
かような表面シート２を形成するためのプラスチックフィルムには、好ましくは坪量１０〜５０ｇ／ｍ２を有するポリオレフィン系ポリマーからなるものが使用される。かかるポリマーには、ポリエチレンのホモポリマーやコポリマーおよびこれらホモポリマーやコポリマーの混合物が含まれる。特に好ましいプラスチックフィルムの一例は、１００重量％のフィルムのうちにリニアローデンシティポリエチレン２５〜４０重量％，ローデンシティポリエチレン０〜１０重量％、エチレンとブテン、プロピレン、４チメチルペンテン、オクテン等のα−オレフィンとの共重合物２５〜４０重量％、硫酸バリウムや炭酸カルシウム、タルク等の微粒子材料２０〜５０重量％を含む他に、酸化チタン等の着色剤やグリセリンの脂肪酸エステル等の親水剤、脂肪酸アミド等の滑材を適宜重量％含む。この例のフィルムにおいて、エチレンとα−オレフィンとの共重合体は、フィルムに弾性的なしなやかさを与えることができる。硫酸バリウム等の微粒子は、フィルムが延伸されたときに表面に浮き出して、フィルムの表面の艶を消したり、その表面の肌に対するベタつきを抑えることができる。酸化チタン等の着色剤は芯材４に吸収された経血を隠蔽することができる。親水剤を使用することによって、管状部２７の上面２３に親水性を付与し、管状部２７へ流入する経血を強い毛細管作用によって芯材４へ向かって移動させることができる。
【００１７】
かように形成された生理用ナプキン１では、経血を吸収した後にこれを上方から見ると、管状部２７を通過して芯材４へ吸収された経血が下方開口部２９においては直視されるものの、下方開口部２９と管状部２７の下端部分２８との境界を形成している多数の裂け目３１では、裂け目３１と３１との間に着色された下端部分２８が存在することによって、経血はその直視が妨げられ、目立つことがない。酸化チタンによって乳白色を帯びているプラスチックフィルムが使用されている場合には、下方開口部２９の周囲で経血が白色化して見える。かような生理用ナプキン１は、管状部２７の下方開口部２９の開口面積を著しく減少させることなくして、換言するとナプキン１の吸収速度と吸収量とを犠牲にすることなくして芯材４に吸収された経血を直視しにくくすることができる。
【００１８】
図５は、実施態様の一例を示す図２と同様の図面である。図示例の表面シート２は、肌当接部位２１の上面２３に互いに並行してナプキン１の縦方向Ａヘ延びる複数条のリブ５１を有する。リブ５１は、頂部５２で肌を刺激することがないように、頂部５２には適度の丸みをつけられることが好ましい。リブ５１の高さは、肌接触域２１の厚さｔの０．５〜２倍程度の範囲にあり、隣り合うリブ５１どうしの離間寸法ｐは２〜８ｍｍの範囲にある。かようなリブ５１は、ナプキン１を肌に当接したときに、肌接触域２１が広い面積にわたって肌に密着することを妨げて、肌接触域２１と肌との間に通気可能な間隙を形成して肌のむれを防ぐことができる。リブ５１はまた、肌に当接したナプキン１が幅方向Ｂへ圧縮されたときに、表面シート２に生じるしわをそれが縦方向Ａヘ延びるように規制することができる。表面シート２に生じるしわが縦方向Ａへ延びることによって、経血が幅方向Ｂヘ流れることを抑制できるから、ナプキン１は横漏れしにくいものになる。さらにはまた、この表面シート２では、肌との接触面積が少なくなる傾向にあるから、ナプキン１の縦方向Ａにおいても横方向Ｂにおいても、表面シート２と肌との滑りがよくなって、肌に対する表面シート２のべたつきが少なくなる。
【００１９】
図６もまた、実施態様の一例を示す図５と同様の図面である。図示例の表面シート２では、肌当接域２１が局部的に上方ヘ隆起することによってリブ５１が形成されている。このリブ５１は、図５のそれと同様に作用するものではあるが、上方から押圧されたときに図５のそれよりも容易に変形するので肌触りが柔軟である。
【００２０】
【発明の効果】
この発明に係る表面シートは、透液性の透孔を有し、その透孔では管状部の下端部分が周方向において複数に細分化されて、管状部の径方向内方へ向かって屈曲しているから、管状部を通過して芯材に吸収された体液、例えば経血は透孔の下方開口部においてのみ直視され、下方開口部の外側では管状部の下端部分に隠蔽されて目立つことがない。かかる表面シートを有する生理用ナプキン等の体液吸収性物品は、これを廃棄するときに体液による汚れを直視して生じることによる不快感をやわらげることができる。
【図面の簡単な説明】
【図１】生理用ナプキンの部分破断斜視図。
【図２】表面シートの部分拡大斜視図。
【図３】図２のＩＩＩ−ＩＩＩ線矢視図。
【図４】図３のＩＶ−ＩＶ線矢視図。
【図５】実施態様の一例を示す図２と同様の図。
【図６】実施態様の一例を示す図５と同様の図。
【符号の説明】
１      体液吸収性物品（ナプキン）
２      表面シート
４      芯材
２１      当接域
２２      透孔
２３      上面
２４      下面
２６      上方開口部
２７      管状部
２８      下端部分
２９      下方開口部
ｄ      径
ｎ      深さ
ｔ      厚さ
ｗ      幅
【図１】
2004187810.tif 000003
【図２】
2004187810.tif 000004
【図３】
2004187810.tif 000005
【図４】
2004187810.tif 000006
【図５】
2004187810.tif 000007
【図６】
2004187810.tif 000008